(57)【特許請求の範囲】
【請求項１】
各辺の長さが所定の基準寸法の整数倍に設定されている矩形のフランジが前面側に形成されたケースを備える電気機器ブロックを互いに隣り合うフランジ同士が隣接するように複数個連結して全体として１つのユニットを構成する盤面ユニット、に対して用いられる平形のパッキンであって、
複数の正方形開口部が上記基準寸法を１ピッチとして行列状に並ぶ格子形状に加工されているとともに、相互に隣接する前記正方形開口部の間にある格子辺の幅が、前記パッキンの一端から該端に隣接してある前記正方形開口部までの外周辺の幅の約２倍に相当する寸法に加工されており、
前記盤面ユニットの形状に合わせて切断され、前記盤面ユニットと見合わせて前記電気機器ブロックの前記ケースと干渉する部分の前記格子辺が切り落とされることにより、前記盤面ユニットを構成する前記電気機器ブロックの前記ケースに相当する部分が開口する構成とされていることを特徴とする盤面ユニット用パッキン。
【請求項２】
請求項１に記載の盤面ユニット用パッキンであって、
前記フランジは、前記電気機器ブロックの背面側に延びる垂下片を有し、
前記外周辺の幅が前記電気機器ブロックのケース側面から前記フランジの前記垂下片の内面までの距離に相当する寸法に加工され、かつ、前記格子辺の幅が（前記外周辺の幅＋前記フランジの前記垂下片の厚み）の約２倍に相当する寸法に加工されていることを特徴とする盤面ユニット用パッキン。
【発明の詳細な説明】
【０００１】
【発明の属する技術分野】
本発明は操作表示盤等のパネルに装着する盤面ユニットに用いられるパッキンに関する。
【０００２】
【従来の技術】
プラントや工作機械などに用いられる操作表示盤には、押ボタンスイッチ、セレクタスイッチなどのスイッチ類や、ＬＥＤ等の表示ランプなどが配置されている。また、最近ではプラントの状況や、加工状態などを示す液晶表示器を組み込んだ操作表示盤も広く利用されている。
【０００３】
ところで、プラントや工作機械等は高度化・複雑化してきており、これに伴って、操作表示盤における操作内容・表示内容等も複雑化・多様化しており、最近では、種々の寸法を有するスイッチやディスプレイ等の各種の盤面機器をパネルに装着することが要求されることが多くなってきているが、その各盤面機器間において形状寸法やデザイン等に統一性がなく、このため見た目が雑然として盤面の意匠性が悪いばかりでなく、操作性・視認性等も悪くなるという問題がある。
【０００４】
また、従来の操作表示盤は、パネルに装着する各機器に対してそれぞれ取付用穴を開口する必要があるので、パネルカットに多くの工数がかかるとともに、パネルへの組立工数も多くなるという問題がある。
【０００５】
そこで、このような問題を解消するため、本出願人は、矩形のフランジが前面側に一体形成されたケースを備え、そのフランジの各辺の長さが所定の基準寸法の整数倍に設定されてなる電気機器ブロックの複数個を、互いに隣り合うフランジ同士が隣接するように連結して、全体として１つのユニットを構成する、というような盤面ユニットを提案した。
【０００６】
【発明が解決しようとする課題】
ところで、複数個の電気機器ブロックを、互いに隣り合うフランジ同士が隣接するように連結して盤面ユニットを構成する場合、その各電気機器ブロックの防水（パネル前面側に対する防水）を確保するためのパッキンは、各電気機器ブロックのケースに相当する部分のみに開口を設けた形状にする必要がある。例えば図５，図６に示すような、３個のスイッチブロック１・・１を連結した盤面ユニット１００の場合には、図４に示すような形状のパッキン６を用いることが必要になる。
【０００７】
ここで、本出願人が提案した盤面ユニットは、各電気機器ブロックのフランジの各辺の長さを基準寸法の整数倍となるように設計して、スイッチブロックやディスプレイブロックなどを自由に組み合わせることができるようにすることを目的としており、従って、防水を行うパッキンについても、設計・組立を行う操作盤に合わせた形状のパッキンが簡単に得られることが好ましく、そのようなような用途に適したパッキンの提供を本発明の目的とする。
【０００８】
【課題を解決するための手段】
上記の目的を達成するため、本発明のパッキン（盤面ユニット用パッキン）は、各辺の長さが所定の基準寸法の整数倍に設定されている矩形のフランジが前面側に形成されたケースを備える電気機器ブロックを互いに隣り合うフランジ同士が隣接するように複数個連結して全体として１つのユニットを構成する盤面ユニット、に対して用いられる平形のパッキンであって、複数の正方形開口部が上記基準寸法を１ピッチとして行列状に並ぶ格子形状に加工されているとともに、相互に隣接する前記正方形開口部の間にある格子辺の幅が、前記パッキンの一端から該端に隣接してある前記正方形開口部までの外周辺の幅の約２倍に相当する寸法に加工されており、前記盤面ユニットの形状に合わせて切断され、前記盤面ユニットと見合わせて前記電気機器ブロックの前記ケースと干渉する部分の前記格子辺が切り落とされることにより、前記盤面ユニットを構成する前記電気機器ブロックの前記ケースに相当する部分が開口する構成とされていることによって特徴づけられる。
【０００９】
以上の構成の本発明のパッキンは、格子の１単位が、盤面ユニットの組立最小単位（基準寸法×基準寸法）に対応しているので、製作・組立を行う盤面ユニットの形状に合わせて切断することによって、その盤面ユニットに合ったパッキンを簡単に得ることができる。
【００１０】
例えば図５〜図７に示すような、盤面ユニット１００に使用するパッキン６（図４）は、図１〜図３に示すように、格子形状のパッキンＰの外周辺（４辺）ＰA,ＰB のうち、互いに隣合う２辺を利用し、その２つの外周辺ＰA,ＰB の角からそれぞれ基準寸法の２倍と３倍にあたる位置の格子辺Ｐa,Ｐb を、外周辺ＰA またはＰB と平行な直線（切断線Ｃ）に沿って切断した後、盤面ユニット１００の各スイッチブロック１のケース１０と干渉する部分の格子辺Ｐa,Ｐb を切り落とす、という加工によって得ることができる。
【００１１】
なお、本発明の盤面ユニット用パッキンは、垂下片を有するフランジが前面側に形成された電気機器ブロックを連結する構造の盤面ユニットにも適用できる。この場合、パッキン外周辺の幅を、電気機器ブロックのケース側面からフランジの垂下片の内面までの距離に相当する寸法に加工し、格子辺の幅を、（外周辺の幅＋フランジの垂下片の厚み）の約２倍に相当する寸法に加工すればよい。
【００１２】
【発明の実施の形態】
まず、本発明のパッキンを適用する盤面ユニットを図５〜図７を参照しつつ説明する。この図５〜図７に示す例では、電気機器ブロック、例えば、３個のスイッチブロック１・・１を、２種の連結部材２と３及び連結フレーム４によって相互に連結して１つの盤面ユニット１００を構成している。
【００１３】
スイッチブロック１は例えば樹脂成形品で、前面側に矩形のフランジ１１が一体形成されたケース１０にスイッチ本体（図示せず）を収容する構造となっており、そのフランジ１１の短辺が基準寸法（例えば４８ｍｍ）と等しい寸法、長辺が基準寸法の２倍の寸法となっている。
【００１４】
フランジ１１にはブロックの背面側に延びる垂下片１１ａ（厚みｔ）が一体形成されており、またフランジ１１の裏面側には、垂下片１１ａと平行な方向に沿って延びる１条の突条１１ｂ（パッキン押さえ用）が形成されている。また、スイッチブロック１のケース１０の４方の各側面には、蟻ほぞ孔形状でブロックの前後方向に延びる嵌合用溝１２・・１２が一定のピッチで設けられている。
【００１５】
一方、連結部材２（２ブロック連結用）は、中空矩形状の本体部２１の両側面に、蟻ほぞ形状でスイッチブロック１のケース側面に設けられた嵌合用溝１２に嵌まり合う嵌合用突条２２が一体形成された樹脂成形品であって、その本体部２１の幅が、連結を行う２つのスイッチブロックのケース１０と１０との間の寸法よりも僅かに小さい寸法に加工されており、それらケース間に連結部材２を挿入配置することができる。また、嵌合用突条２２の蟻ほぞ斜面間の距離は、この連結部材２によってスイッチブロック１を連結した状態で、各フランジの垂下片１１ａと１１ａの下端部同士が相互に接触する程度の寸法となるように設定されている。
【００１６】
連結部材２の本体部２１には、連結部材２の抜けを阻止するためのストッパ５が嵌め込まれている。また、連結部材２には、本体部２１の前面側端部（ユニット前面側となる端部）に、本体部側面と平行な方向に沿って延びる２条の突条２１ａ，２１ａが形成されている（図７参照）。
【００１７】
なお、３ブロック連結用の連結部材３については詳細に説明しないが、この連結部材３も、基本的に先の２ブロック連結用の連結部材２と同様に、蟻ほぞ状の嵌合用突条３２が設けられており、また、連結部材３の前面側端部に防水用の２条の突条３１ａ，３１ａ（図７参照）が設けられている。
【００１８】
そして、以上の構造の盤面ユニット１００おいては、パネル８（図８）に取り付ける際の防水パッキンとして、図４に示す形状のパッキン６が用いられる。
【００１９】
次に、本発明のパッキンの実施の形態を、以下、図１〜図３を参照しつつ説明する。
【００２０】
パッキンＰは、図１に示すように、全体として正方形をなす平形のパッキン（例えばシリコンスポンジ製；厚み２ｍｍ程度）で、複数の正方形開口部ｈ・・ｈが基準寸法Ｓを１ピッチとして行列状に並ぶ格子形状に加工されている。
【００２１】
パッキンＰの外周辺ＰA,ＰB の幅Ｗ1 は、盤面ユニットを構成する電気機器ブロック、この例の場合ではスイッチブロック１のケース１０側面からフランジ１１の垂下片１１ａ内面までの距離（スイッチブロック１のフランジ１１の裏面側凹部の幅）に相当する寸法に加工されている。また、内方の各格子辺Ｐa ・・Ｐa,Ｐb ・・Ｐb の幅Ｗ2 は、（外周辺の幅Ｗ1 ＋フランジ垂下片１１ａの厚みｔ）×２に相当する寸法に加工されている。
【００２２】
次に、以上の構造のパッキンＰを用いて、図５〜図７に示した盤面ユニット１００に用いるパッキン６を作製する場合の加工手順を以下に説明する。
【００２３】
まず、図２に示すように、格子形状のパッキンＰの外周辺（４辺）ＰA,ＰB のうち、互いに隣合う２辺を利用し、その２つの外周辺ＰA,ＰB の角からそれぞれ基準寸法の２倍と３倍にあたる位置の格子辺Ｐa,Ｐb を、外周辺ＰA またはＰB と平行な直線（切断線Ｃ）に沿って切断する。このとき、各格子辺Ｐa,Ｐb の各切断線Ｃは、それぞれ各格子辺Ｐa,Ｐb の中心線Ｌから、スイッチブロック１のフランジ１１の垂下片１１ａの厚みｔだけ控えた位置とする。なお、パッキンＰの切断は、例えばカッターと定規を用いて行う。
【００２４】
次に、切断後のパッキンＰ′（図３）と、盤面ユニット１００とを見合せ、切断後のパッキンＰ′の格子辺Ｐa,Ｐb と盤面ユニット１００の各スイッチブロック１のケース１０とが干渉する部分の格子辺Ｐa,Ｐb を切り落とすという切断加工を行うことによって、図４に示す形状のパッキン、すなわち盤面ユニット１００の各スイッチブロック１・・１の全てフランジ１１・・１１に対応する形状で、各スイッチブロック１のケース１０に相当する部分のみが開口されたパッキン６を得ることができる。
【００２５】
なお、以上の実施の形態では、３つのスイッチブロックを連結した盤面ユニット１００に用いるパッキン６を作製する場合の例を示したが、本発明はこれに限られることなく、他の形態のスイッチブロックや表示器など、フランジの各辺が基準寸法の整数倍に設定された各種の電気機器ブロックを連結してなる、任意の形態のユニットのパッキンを作製する際にも利用できる。
【００２６】
ここで、本実施の形態においては、各スイッチブロック１のフランジ１１の内面にパッキン押さえ用の突条１１ｂを形成しているので、盤面ユニット１００をパネル８に取り付けた際に、図８，図９に示すように、フランジ内面の突条１１ｂがパッキン６に食い込んだ状態となって、より高い防水効果を得ることができる。
【００２７】
また、連結部材２，３の前面側端部に、スイッチブロック１のケース側面と平行な方向に延びる２条の突条２１ａ，２１ａを形成しているので、図７，図９に示すように、スイッチブロック１と１を連結した際に、その一方の突条２１ａが、互いに連結状態のスイッチブロック１の一方のフランジ１１の内面に位置するパッキン６に食い込み、他方の突条２１ａが他方のスイッチブロック１のフランジ１１内面のパッキン６に食い込んだ状態となるので、各スイッチブロック１のそれぞれの防水効果を高めることができる。従って、盤面ユニットの全体の防水効果が高まる。
【００２８】
なお、以上の実施の形態では、垂下片を有するフランジが前面側に形成された電気機器ブロックを連結する構造の盤面ユニットに用いるパッキンの例を示したが、これに限られることなく、本発明は、取付パネルへの当たり面がフラットな形状のフランジをもつ電気機器ブロックを連結する構造の盤面ユニットのパッキンにも適用できる。
【００２９】
【発明の効果】
以上説明したように、本発明のパッキンは、複数の正方形開口部が行列状に並ぶ格子形状に加工され、その格子の１単位が、盤面ユニットの組立最小単位（基準寸法×基準寸法）に対応しているので、製作・組立を行う盤面ユニットの形状に合わせて切断することによって、その盤面ユニットに合ったパッキンを簡単に得ることができるので、各組合せ・形態の盤面ユニットに合わせた多種のパッキンを予め用意する必要がなくなる。また、本発明のパッキンは１つの盤面ユニット用として切り取った後、残りの部分を、他の組合せ・形態の盤面ユニットのパッキンを製作するのに利用できる。
【図面の簡単な説明】
【図１】本発明の実施の形態の正面図である。
【図２】本発明の実施の形態の要部拡大図である。
【図３】本発明の実施の形態の使用方法の説明図である。
【図４】本発明の実施の形態を切断加工することによって得られるパッキンの一例を示す正面図である。
【図５】本発明の実施の形態を適用する盤面ユニットの正面図である。
【図６】同じく盤面ユニット要部裏面図である。
【図７】図６のＥ−Ｅ断面図である。
【図８】図５に示す盤面ユニットの防水構造を示す要部縦断面図である。
【図９】同じく防水構造を示す要部縦断面図である。
【符号の説明】
Ｐ  パッキン
ＰA,ＰB   外周辺
Ｐa,Ｐb   格子辺
ｈ  正方形開口部
Ｃ  切断線
Ｓ  基準寸法
１  スイッチブロック
１０  ケース
１１  フランジ
１１ａ  垂下片
２，３  連結部材
４  連結フレーム
５  ストッパ
６  パッキン
【図１】
0004295369.tif 000002
【図２】
0004295369.tif 000003
【図３】
0004295369.tif 000004
【図４】
0004295369.tif 000005
【図５】
0004295369.tif 000006
【図６】
0004295369.tif 000007
【図７】
0004295369.tif 000008
【図８】
0004295369.tif 000009
【図９】
0004295369.tif 000010